(57)【要約】【課題】簡単な構造で、レジストローラ対にシートを案内すること。【解決手段】シート搬送装置５０は、シートを挟持し回転して搬送するゴムローラ１５ｂ及びゴムローラ１５ｂより摩擦係数の小さい金属ローラ１５ａと、シート搬送方向の上流側に位置し、凹部５５を備えた案内壁５３と凹部５５に対向する凸部５４を備えた案内壁５２との間で搬送されるシートを案内し、凸部５４を介して搬送されるシート及び凸部５４を介さないで搬送されるシートを凹部５５により金属ローラ１５ａに先端が当接するように案内するレジスト前パス１４と、を備えている。【選択図】図３
2017116748.tif 000002
【特許請求の範囲】
【請求項１】
搬送されるシートの先端を当接させて該シートの搬送状態を調整する調整ユニットと、
前記調整ユニットのシート搬送方向の上流側に位置し、凹部を備えた第１の案内部材と前記凹部に対向する凸部を備えた第２の案内部材との間で搬送されるシートを案内し、前記凸部を介して搬送されるシート及び前記凸部を介さないで搬送されるシートを前記凹部により前記調整ユニットに先端が当接するように案内する案内路と、を備えた、
ことを特徴とするシート搬送装置。
【請求項２】
前記凸部を介して搬送されるシートと前記凸部を介さないで搬送されるシートが前記凹部により案内されて前記調整ユニットに先端が当接する位置は同じ位置である、
ことを特徴とする請求項１に記載のシート搬送装置。
【請求項３】
前記調整ユニットは、シートを挟持し回転して搬送するローラ対であり、前記案内路に案内されたシートの先端は回転を停止している前記ローラ対の一方のローラの表面に最初に接触する、
ことを特徴とする請求項１又は２に記載のシート搬送装置。
【請求項４】
前記ローラ対は、摩擦係数が異なる１対のローラから構成され、前記一方のローラは他方のローラより摩擦係数が小さい、
ことを特徴とする請求項３に記載のシート搬送装置。
【請求項５】
前記案内路は、前記シート搬送方向の上流側において複数の合流前案内路が合流して接続されている、
ことを特徴とする請求項１乃至３のいずれか１項に記載のシート搬送装置。
【請求項６】
前記調整ユニットに先端が当接したシートは、前記案内路の内部でループが形成される、
ことを特徴とする請求項１乃至５のいずれか１項に記載のシート搬送装置。
【請求項７】
前記凸部の前記シート搬送方向の上流側の斜面の延長線と、前記凹部の前記シート搬送方向の下流側の斜面との成す角度は、鋭角に設定されている、
ことを特徴とする請求項１乃至６のいずれか１項に記載のシート搬送装置。
【請求項８】
複数の前記合流前案内路の各案内部材の内、前記摩擦係数の大きいローラに最も近い案内部材の延長線と、前記凸部の上流側の斜面との成す角度は、鋭角に設定されている、
ことを特徴とする請求項１乃至７のいずれか１項に記載のシート搬送装置。
【請求項９】
前記案内路の１対の案内部材の終端部の間隔は、前記凹部と前記凸部の間隔よりも狭い、
ことを特徴とする請求項１乃至８のいずれか１項に記載のシート搬送装置。
【請求項１０】
前記案内路の１対の案内部材の終端部の間隔は、複数の前記合流前案内路が合流する合流点における前記案内路の１対の案内部材の間隔よりも狭い、
ことを特徴とする請求項８に記載のシート搬送装置。
【請求項１１】
前記摩擦係数の小さいローラは金属製のローラであり、前記摩擦係数の大きいローラは弾性を備えたローラである、
ことを特徴とする請求項８に記載のシート搬送装置。
【請求項１２】
請求項１乃至１１のいずれか１項に記載のシート搬送装置と、
前記シート搬送装置によって搬送されるシートに画像を形成する画像形成部と、を備え、
前記シート搬送装置の調整ユニットは、レジストローラ対である、
ことを特徴とする画像形成装置。
【発明の詳細な説明】
【技術分野】
【０００１】
本発明は、シートを搬送するシート搬送装置と、シート搬送装置を備えてシートに画像を形成する画像形成装置とに関する。
【背景技術】
【０００２】
従来、シートに画像を形成する複写機、プリンタ、ファクシミリ等の画像形成装置は、シートに画像を形成する画像形成部にシートを送り込むとき、転写する画像とシートの位置合わせのため、給送するシートを真っ直ぐに矯正してから送り込むようになっている。このため、斜めになったシートは、回転を停止した調整ユニットとしてのレジストローラ対のニップ部に先端を突き当てられて、撓まされ、先端を矯正されてから、画像形成部に送り込まれる。このため、シートの先端を回転体対のニップ部に当接させる必要がある。
【０００３】
シートの先端を回転体対のニップ部に当接させるシート搬送装置として、突出部材でシートを案内パスの壁面に沿わせて、先端をニップ部に当接させる構成のものがある（特許文献１）。
【先行技術文献】
【特許文献】
【０００４】
【特許文献１】特開２０１０−２２２０７７号公報
【発明の概要】
【発明が解決しようとする課題】
【０００５】
しかし、従来のシート搬送装置は、突出部材でシートをレジストローラ対のニップ部に案内した後、突出部材を案内パスの壁面から離して、シートが撓むようにしてあるので、突出部と、突出部を回動させる構成とが必要であり、構造が複雑である。
【０００６】
本発明は、簡単な構造で、調整ユニットにシートを案内できるシート搬送装置を提供することにある。
【課題を解決するための手段】
【０００７】
本発明のシート搬送装置は、搬送されるシートの先端を当接させて該シートの搬送状態を調整する調整ユニットと、前記調整ユニットのシート搬送方向の上流側に位置し、凹部を備えた第１の案内部材と前記凹部に対向する凸部を備えた第２の案内部材との間で搬送されるシートを案内し、前記凸部を介して搬送されるシート及び前記凸部を介さないで搬送されるシートを前記凹部により前記調整ユニットに先端が当接するように案内する案内路と、を備えた、ことを特徴としている。
【０００８】
本発明の画像形成装置は、上記のシート搬送装置と、前記シート搬送装置によって搬送されるシートに画像を形成する画像形成部と、を備え、前記シート搬送装置の調整ユニットは、レジストローラ対である、ことを特徴としている。
【発明の効果】
【０００９】
本発明のシート搬送装置は、簡単な構成で回転体対にシートを案内できる。
【図面の簡単な説明】
【００１０】
【図１】本発明の実施形態の画像形成装置としての複写機のシート搬送方向に沿った断面図である。
【図２】シート搬送装置の全体図である。
【図３】図２のシート搬送装置の部分拡大図である。
【図４】図２のシート搬送装置がシートを案内するときの図である。（Ａ）は、給紙ユニットから送られてきたシートを案内する図である。（Ｂ）は、マルチ給紙ユニットから送られてきたシートを案内する図である。（Ｃ）は、両面搬送パスから送られてきたシートを案内する図である。
【発明を実施するための形態】
【００１１】
以下、本発明の実施形態のシート搬送装置と、このシート搬送装置を備えた画像形成装置とを図に基づいて説明する。
【００１２】
（画像形成装置）
図１は、本発明の実施形態の画像形成装置としての複写機１０のシート搬送方向に沿った断面図である。複写機１０は、画像読取装置２４で読み込んだ画像情報や、外部のパソコン、ファクシミリ等の情報機器からの画像情報をレーザ発光書込ユニット１１により光変調情報に変換して、レーザ光で感光ドラム１８上にスポット状に結像する。なお、画像形成装置には、複写機の他に、プリンタ、ファクシミリ等があり、複写機に限定されるものではない。
【００１３】
光スポットが感光ドラム１８の軸方向に移動することによる主走査と、感光ドラム１８の回転とによる副走査とによって、感光ドラム１８には静電潜像が形成される。静電潜像は、不可視像であり、トナーボトルユニット１６からの現像剤（トナー）によって、トナー像として、可視像に変わる。
【００１４】
一方、複写機１０の装置本体１０Ａの下部には、シートを給送するメイン給紙ユニット１２が配置されている。このメイン給紙ユニット１２を構成している箱状のシートカセット１２ａは、装置本体１０Ａに着脱自在に装着されて、シートＰが中支持板１２ｂ上に積層状に収納されている。中支持板１２ｂは、給紙加圧ばね１２ｃにより上方付勢されて、シートＰを給紙ローラ１２ｄに圧接するようになっている。
【００１５】
給紙ローラ１２ｄは、シートカセット１２ａからシートが給送される端部の上に配置されている。給紙ローラ１２ｄは、中支持板１２ｂにより上方に持ち上げられている積層状のシートの内、最上位のシートを受け止めて回転し、該シートを給送するようになっている。
【００１６】
給紙ローラ１２ｄによって、給送されたシートは、分離ローラ対１２ｆと、給紙ユニット搬送ローラ対１２ｅとによって、レジスト前パス１４に送り出される。分離ローラ対１２ｆは、シートカセット１２ａから送り出されたシートが重なっている場合、シートを１枚ずつに分離するようになっている。シートＰは、後述するシート搬送装置５０の一部分である、レジスト前パス１４の案内と、レジストローラ対１５の金属ローラ１５ａに突き当てられることによって適宜のタイミングで、感光ドラム１８と転写ローラ１７との間に送り込まれるようになっている。トナーボトルユニット１６と、感光ドラム１８と、転写ローラ１７等は、画像形成部３１を構成している。
【００１７】
メイン給紙ユニット１２の右側には、マルチ給紙ユニット１３が設けられている。このマルチ給紙ユニット１３からも、シートをレジストローラ対１５に給送できるようになっている。マルチ給紙ユニット１３は、装置本体１０Ａを矢印Ｄ方向に開閉可能なマルチ給紙積載トレイ１３ａに載置されたシートを、マルチ給紙ローラ１３ｂ、分離摩擦板１３ｃ、マルチ搬送ローラ対１３ｄによってレジスト前パス１４に給送するようになっている。
【００１８】
感光ドラム１８のトナー像が形成される転写領域には、転写ローラ１７が接触するように配置されている。転写ローラ１７には、転写バイアスが印加されており、その転写バイアスによって、感光ドラム１８上のトナー像をシートに静電的に転写するようになっている。トナー像を転写されたシートは、定着器１９の定着フィルム１９ａの加熱と、定着フィルム１９ａに圧接された加圧ローラ１９ｂの加圧力とによって、未定着のトナー像を定着される。
【００１９】
トナー像を定着されたシートは、排紙部２２に設けられた排紙搬送パス２０に送り出された後、排紙搬送パス２０に設けられた排紙ローラ２１によって、装置本体１０Ａの上方位置に設けられた排紙トレイ２３に排出される。両面にトナー像が形成されるシートは、排紙搬送パス２０から反転搬送パス２７に送り込まれ、反転ローラ対２８によってスイッチバックされた後、両面搬送パス２６，２９を搬送され、再びレジスト前パス１４に送り込まれる。そして、シートは、一方の面にトナー象を形成されたときと同様にして、シートの裏面に画像を形成される。これによって、シートは、両面にトナー像を形成されたことになり、最後に排紙トレイ２３に排出される。
【００２０】
（シート搬送装置）
図２には、シート搬送装置５０の全体図である。図３は、図２のシート搬送装置５０の部分拡大図である。図４は、シート搬送装置５０がシートを案内するときの図である。図４（Ａ）は、メイン給紙ユニット１２から送られてきたシートを案内する図である。図４（Ｂ）は、マルチ給紙ユニット１３から送られてきたシートを案内する図である。図４（Ｃ）は、両面搬送パス２６，２９から送られてきたシートを案内する図である。
【００２１】
シート搬送装置５０は、調整ユニットであり回転体対であるレジストローラ対１５と、レジスト前パス（案内路）１４、給紙ユニットパス１４Ａ、マルチユニットパス１４Ｂ及び両面搬送パス２９等を備えている。なお、給紙ユニットパス１４Ａ、マルチユニットパス１４Ｂ及び両面搬送パス２９は、複数の合流前案内路である。給紙ユニットパス１４Ａ、マルチユニットパス１４Ｂ及び両面搬送パス２９は、レジスト前パス１４に形成された後述する湾曲部のシート搬送方向の上流側の合流点１４Ｃにおいて、合流している。
【００２２】
レジストローラ対１５は、摩擦係数の小さい金属製の金属ローラ１５ａと、摩擦係数が大きく、かつ弾性を備えたゴム製のゴムローラ１５ｂとで、シートを挟持し回転して搬送するようになっている。
【００２３】
前述したように、メイン給紙ユニット１２から給送されたシートＰがレジストローラ対１５に搬送できるように、メイン給紙ユニット１２の下流に、分離ローラ対１２ｆ、給紙ユニット搬送ローラ対１２ｅ、給紙ユニットパス１４Ａ等が設けられている。給紙ユニットパス１４Ａは、離間対向してシートを案内する１対の案内部材としての案内壁１４Ａａ，１４Ａｂで形成されて、レジスト前パス１４に接続されている。案内壁１４Ａａ，１４Ａｂは、レジストローラ対１５でシートを撓ませる際の撓んだシートを収納できるだけの空間ＡＲ１を形成する間隔を有している。
【００２４】
また、マルチ給紙ユニット１３を構成するマルチ搬送ローラ対１３ｄは、マルチ給紙積載トレイ１３ａに載置されたシートを案内するマルチユニットパス１４Ｂの上流端部に設けられている。マルチユニットパス１４Ｂは、離間対向してシートを案内する１対の案内部材としての案内壁１４Ｂａ，１４Ｂｂで形成されて、レジスト前パス１４に接続されている。案内壁１４Ｂａ，１４Ｂｂは、レジストローラ対１５でシートを撓ませる際の撓んだシートを収納できるだけの空間ＡＲ２を形成する間隔を有している。なお、案内壁１４Ａｂ，１４Ｂａは、別部材で形成されているが共通の部材であってもよい。両面搬送パス２９も、離間対向して１対の案内壁２９ａ，２９ｂでシートを案内するようになっている。なお、案内壁１４Ｂｂと案内壁２９ｂは別部材でも共通の部材でもよい。また、案内壁１４Ｂｂと案内壁２９ｂとの下流端部同士は、接続されているが接続されていなくてもよい。
【００２５】
レジスト前パス１４は、離間対向してシートを案内する案内部材としての１対の案内壁５２，５３で形成されている。第１の案内部材としての案内壁５２は案内壁１４Ａａと接続されて一体に形成された１枚の板状の部材である。第２の案内部材としての案内壁５３は案内壁２９ａと一体に形成された１枚の板状の部材である。
【００２６】
レジスト前パス１４の１対の案内壁５２，５３のシートの先端を案内する終端部には、ゴムローラ１５ｂの側に湾曲して金属ローラ１５ａにシートを案内する湾曲部１４Ｄが形成されている。湾曲部１４Ｄは、１対の案内壁５２，５３の内、ゴムローラ１５ｂの側に位置する一方の案内壁５３に形成された凹部５５と、他方の案内壁５２に形成された凸部５４とで形成されている。一方の案内壁５３の終端部５３ａは、凹部５５のシート搬送方向の上流端部５５ｄと凸部５４の頂部５４ａとを通る接線Ｌ１と交差する位置まで延びている。
【００２７】
凸部５４は、頂部５４ａを境にしてシート搬送方向の上流側の上流斜面５４ｂと下流側の下流斜面５４ｃとで、突出した形状に形成されている。凹部５５は、底部５５ａを境にしてシート搬送方向の上流側の上流斜面５５ｂと下流側の下流斜面５５ｃとで、へこんだ形状に形成されている。なお、凸部５４と凹部５５は、互いに平行に形成されているのが好ましい。
【００２８】
凸部５４のシート搬送方向の上流側の上流斜面５４ｂと、凹部５５のシート搬送方向の下流側の下流斜面５５ｃとの成す角度α１は、鋭角に設定されている。すなわち、上流斜面５４ｂの延長線Ｌ２と下流斜面５５ｃとの成す角度α１は、鋭角に設定されている。角度α１は４５度以下が好ましい。
【００２９】
複数の合流前案内路として給紙ユニットパス１４Ａ、マルチユニットパス１４Ｂ及び両面搬送パス２９の各案内壁の内、ゴムローラ１５ｂに最も近い案内壁２９ａと、凸部５４の上流側の上流斜面５４ｂとの成す角度α２は、鋭角に設定されている。すなわち、案内壁２９ａの延長線Ｌ３と上流斜面５５ｂとの成す角度α２は、鋭角に設定されている。角度α２は４５度以下が好ましい。
【００３０】
また、レジスト前パス１４を形成する案内壁５２，５３のシートの先端を案内する終端部５２ａ，５３ａの間隔Ａは、凸部５４の高さＢと、凹部５５のへこみ深さＣとのいずれよりも狭く設定されている（Ａ＜Ｂ、Ａ＜Ｃ）。また、終端部５２ａ，５３ａの間隔Ａは、凹部５５と凸部５４との間隔Ｄよりも狭く設定されている（Ａ＜Ｄ）。さらに、終端部５２ａ，５３ａの間隔Ａは、複数の合流前案内路が合流する合流点１４Ｃにおける案内壁５２と案内壁２９ａとの間隔Ｅよりも狭く設定されている（Ａ＜Ｅ）。案内壁５２，５３の終端部５２ａ，５３ａには、レジスト前パス１４を搬送されてきたシートが終端部５２ａ，５３ａから突出するのを検知するレジスト前センサ５１が配置してある。
【００３１】
以上のシート搬送装置５０において、メイン給紙ユニット１２から給送されたシートＰ（図４（Ａ））は、凹部５５の上流端部５５ｄと、凹部５５の下流斜面５５ｃとに、順次、当接して案内される。そして、シートＰは、最後、案内壁５３の終端部５３ａの案内によって、金属ローラ１５ａの周面（表面）１５ａａに当接する。このとき、レジストローラ対１５は、回転を停止している。金属ローラ１５ａの周面１５ａａに当接したシートＰは、金属ローラ１５ａの周面（表面）１５ａａを円滑に滑って、レジストローラ対１５のニップ部ＮＰに受け止められる。レジストローラ対１５は、回転を停止しているが、シートは、給紙ユニット搬送ローラ対１２ｅ（図２）によって搬送を継続されている。このため、シートは、給紙ユニットパス１４Ａの空間ＡＲ１（図２）で撓み、斜行している場合、シートの先端はニップ部ＮＰに矯正される。そして、シートは、所定のタイミングで回転を開始したレジストローラ対１５によって、感光ドラム１８（図１）と転写ローラ１７との間に搬送される。
【００３２】
また、マルチ給紙ユニット１３から給送されたシートＰ（図４（Ｂ））は、両面搬送パス２９の案内壁２９ａと、凸部５４の上流斜面５４ｂと、凹部５５の下流斜面５５ｃとに順次当接し案内される。そして、シートＰは、最後、案内壁５３のシートの先端を案内する終端部５３ａの案内によって、金属ローラ１５ａの周面（表面）１５ａａに当接する。このとき、レジストローラ対１５は、回転を停止している。金属ローラ１５ａの周面（表面）１５ａａに当接したシートＰは、金属ローラ１５ａの周面（表面）１５ａａを円滑に滑って、レジストローラ対１５のニップ部ＮＰに受け止められる。レジストローラ対１５は、回転を停止しているが、シートは、マルチ搬送ローラ対１３ｄ（図２）によって搬送を継続されている。このため、シートは、マルチユニットパス１４Ｂの空間ＡＲ２（図２）で撓み、斜行している場合、シートの先端はニップ部ＮＰに矯正される。そして、シートは、所定のタイミングで回転を開始したレジストローラ対１５によって、感光ドラム１８（図１）と転写ローラ１７との間に搬送される。
【００３３】
さらに、両面搬送パス２９から給送されたシートＰ（図４（Ｃ））は、凸部５４の上流斜面５４ｂと、凹部５５の下流斜面５５ｃとに順次当接し案内される。そして、最後に、案内壁５３のシートの先端を案内する終端部５３ａの案内によって、金属ローラ１５ａの周面（表面）１５ａａに当接する。このとき、レジストローラ対１５は、回転を停止している。金属ローラ１５ａの周面（表面）１５ａａに当接したシートＰは、金属ローラ１５ａの周面（表面）１５ａａを円滑に滑って、レジストローラ対１５のニップ部ＮＰに受け止められる。レジストローラ対１５は、回転を停止しているが、シートは、両面搬送ローラ対３０（図１）によって搬送を継続されている。このため、シートは、マルチユニットパス１４Ｂと両面搬送パス２９とが合流する空間ＡＲ３（図２）で撓み、斜行している場合、シートの先端はニップ部ＮＰに矯正される。そして、シートは、所定のタイミングで回転を開始したレジストローラ対１５によって、感光ドラム１８（図１）と転写ローラ１７との間に搬送される。
【００３４】
以上の説明において、案内壁５２，５３の終端部５２ａ，５３ａは、レジストローラ対１５のニップ部ＮＰから、案内壁５２，５３側へ金属ローラ１５ａの９０度未満の中心角α３に対応する外周の領域に対向している。このため、シートは、この領域に当接するので、ニップ部ＮＰに確実に案内されるようになっている。
【００３５】
以上のように、シートは、給紙ユニットパス１４Ａ、マルチユニットパス１４Ｂ、両面搬送パス２９のいずれのパスから搬送されてきても、最後、案内壁５３の終端部５３ａに案内されて、金属ローラ１５ａに当接する。仮に、マルチユニットパス１４Ｂ、両面搬送パス２９が設けてなく、給紙ユニットパス１４Ａのみ設けられて、シートがどのような状態で搬送されても、シートは、図４（Ａ），（Ｂ），（Ｃ）のいずれかの搬送案内によって金属ローラ１５ａに当接する。これは、案内壁５３の終端部５３ａが、凹部５５のシート搬送方向の上流端部５５ｄと凸部５４の頂部５４ａとを通る接線Ｌ１と交差する位置まで延びているからである。また、上記Ａ＜Ｂ、Ａ＜Ｃ、Ａ＜Ｄ、Ａ＜Ｅの関係に設定されているからである。
【００３６】
最初に金属ローラ１５ａの周面（表面）１５ａａに当接したシートは、金属ローラ１５ａが滑り易いので、容易にレジストローラ対１５のニップ部ＮＰに案内されて、撓みにバラツキが殆ど生じることなく、円滑に斜行をニップ部のライン上に矯正される。なお、仮に、ゴムローラ１５ｂの周面（表面）１５ｂａにシートの先端が当接すると、シートの先端は、ゴムローラ１５ｂの表面１５ｂａの摩擦係数により円滑に滑ることができないので、レジストローラ対１５のニップ部ＮＰに案内されるのが困難である。
【００３７】
なお、本実施形態では金属ローラ１５ａに対向するローラを金属ローラより摩擦係数の大きいゴムローラ１５ｂを使用しているが、対向するローラがゴムローラでなくて金属ローラ１５ａより摩擦係数が大きければ金属ローラであっても本実施形態は特長がある。レジストローラ対が金属ローラ対で構成されていても、本実施形態を実施しないと、ローラに当接するシートの先端の位置が一定せず、例え金属ローラ対であってもシートの先端が円滑にニップ部まで滑ることができず斜行矯正ができないおそれがある。また斜行矯正を実行する際のループ量も所望のループ量を形成できないおそれもある。
【００３８】
さらに、シートが案内壁５３の終端部５３ａに案内されて送り出される位置にレジスト前センサ５１が配置してあるので、停止していたレジストローラ対１５に回転を開始させるタイミングのバラツキが少なくなる。これによって、シートは、撓みにバラツキが殆ど生じることなく、円滑に斜行を真っ直ぐに矯正される。
【００３９】
以上のように、本実施形態のシート搬送装置５０は、簡単な構造で、レジストローラ対１５にシートを案内して、シートの斜行を容易に除去することができる。また、本実施形態の画像形成装置である複写機１０は、簡単な構成のシート搬送装置５０によって搬送されてくるシートを画像形成部で形成するので、構造を簡単にすることができる。
【００４０】
なお、本実施形態のシート搬送装置５０は、調整ユニットとしてレジストローラ対１５を使用することで斜行を調整（矯正）しているが、調整ユニットはこれに限定せず、シートの先端を突き当てて斜行調整ができるシャッタでもよい。すなわち、調整ユニットは、搬送されるシートの先端を当接させて該シートの搬送状態を調整できる構成になっていればよい。
【符号の説明】
【００４１】
１０：複写機（画像形成装置）、１０Ａ：複写機（画像形成装置）の装置本体、１２：給紙ユニット、１２ｅ：給紙ユニット搬送ローラ対、１３：マルチ給紙ユニット、１３ｄ：マルチ搬送ローラ対、１４：レジスト前パス（案内路）、１４Ａ：給紙ユニットパス（合流前案内路）、１４Ａａ，１４Ａｂ：給紙ユニットパス１４Ａの案内壁（案内部材）、１４Ｂ：マルチユニットパス（合流前案内路）、１４Ｂａ，１４Ｂｂ：マルチユニットパス１４Ｂの案内壁（案内部材）、１４Ｃ：合流点、１４Ｄ：湾曲部、１５：レジストローラ対（ローラ対、調整ユニット）、１５ａ：金属ローラ（一方のローラ、摩擦係数の小さいローラ）、１５ａａ：金属ローラ１５ａの周面、１５ｂ：ゴムローラ（他方のローラ、摩擦係数の大きいローラ）、１８：感光ドラム、２４：画像読取装置、２９：両面搬送パス（合流前案内路）、２９ａ：ゴムローラ１５ｂに最も近い案内壁、３０：両面搬送ローラ対、３１：画像形成部、５０：シート搬送装置、５１：レジスト前センサ、５２：レジスト前パス１４の案内壁（第１の案内部材）、５２ａ：案内壁５２の終端部、５３：レジスト前パス１４の案内壁（第２の案内部材）、５３ａ：案内壁５２の終端部、５４：凸部、５４ａ：凸部５４の頂部、５４ｂ：凸部５４のシート搬送方向の上流側の上流斜面、５４ｃ：凸部５４の下流側の下流斜面、５５：凹部、５５ａ：凹部５５の底部、５５ｂ：凹部５５の上流側の上流斜面、５５ｃ：凹部５５の下流側の下流斜面、５５ｄ：凹部５５の上流端部、ＡＲ１：レジスト前パス１４の空間、
ＡＲ２：マルチユニットパス１４Ｂの空間、ＡＲ３：マルチユニットパス１４Ｂと両面搬送パス２９とが合流する空間、Ｌ１：凹部５５の上流端部５５ｄと凸部５４の頂部５４ａとを通る接線、Ｌ２：凸部５４の上流側の上流斜面５４ｂの延長線、Ｌ３：両面搬送パス２９の案内壁２９ａの延長線、α１：上流斜面５４ｂの延長線Ｌ２と下流斜面５５ｃとの成す角度、α２：案内壁２９ａの延長線Ｌ３と上流斜面５５ｂとの成す角度、Ａ：案内壁５２，５３の終端部５２ａ，５３ａの間隔、Ｂ：凸部５４の高さ、Ｃ：凹部５５のへこみ深さ、Ｄ：凹部５５と凸部５４との間隔、Ｅ：合流点１４Ｃにおける案内壁５２と案内壁２９ａ間隔、Ｐ：シート。
【図１】
2017116748.tif 000003
【図２】
2017116748.tif 000004
【図３】
2017116748.tif 000005
【図４】
2017116748.tif 000006